(57)【要約】【課題】所定のスケジュール通りに映像の表示を行うことによって、その映像に関連させて複数の発表者が行う発表などを好適に進行させることができる投射型映像表示装置を実現する。【解決手段】ランプ３の点灯時間と消灯時間とが組み合わされてなるタイムテーブルに基づき、プロジェクタ１００が、そのランプ３の点灯と消灯を切り替え、スクリーンＳに映像を表示することと、非表示とすることとを切り替えるようにして、所定のスケジュール通りに映像の表示を行うことによって、その映像に関連させて複数の発表者が行う発表などを好適に進行させることを可能にした。【選択図】図１
2007178638.tif 000002
【特許請求の範囲】
【請求項１】
光源ランプが出力する光に基づきスクリーンに映像を投射して表示する投射型映像表示装置であって、
前記スクリーンに映像を表示する所定のスケジュールに関するタイムテーブルを設定するタイムテーブル設定手段と、
所定の外部機器で設定されたタイムテーブルの入力を受け付けるタイムテーブル入力手段と、
前記タイムテーブル設定手段により設定されたタイムテーブル及び／又は前記タイムテーブル入力手段に入力されたタイムテーブルを記憶する記憶手段と、
複数の画像出力装置がそれぞれ出力する各画像データの入力を受け付ける画像データ入力手段と、
前記画像データ入力手段に入力される各画像データのうち、前記記憶手段に記憶されるタイムテーブルにおいて設定されている画像出力装置に対応する画像データに応じた映像を投射するように切り替える映像切替手段と、
前記記憶手段に記憶されるタイムテーブルに基づき、前記光源ランプの点灯と消灯を切り替えるランプ制御手段と、
を備えることを特徴とする投射型映像表示装置。
【請求項２】
光源ランプが出力する光に基づきスクリーンに映像を投射して表示する投射型映像表示装置であって、
前記スクリーンに映像を表示する所定のスケジュールに関するタイムテーブルを設定するタイムテーブル設定手段と、
前記タイムテーブル設定手段により設定されたタイムテーブルを記憶する記憶手段と、
前記記憶手段に記憶されるタイムテーブルに基づき、前記光源ランプの点灯と消灯を切り替えるランプ制御手段と、
を備えることを特徴とする投射型映像表示装置。
【請求項３】
所定の外部機器で設定されたタイムテーブルの入力を受け付けるタイムテーブル入力手段を備え、前記タイムテーブル入力手段に入力されたタイムテーブルは前記記憶手段に記憶されることを特徴とする請求項２に記載の投射型映像表示装置。
【請求項４】
複数の画像出力装置がそれぞれ出力する各画像データの入力を受け付ける画像データ入力手段と、
前記画像データ入力手段に入力される各画像データのうち、前記記憶手段に記憶されるタイムテーブルにおいて設定されている画像出力装置に対応する画像データに応じた映像を投射するように切り替える映像切替手段と、
を備えることを特徴とする請求項２又は３に記載の投射型映像表示装置。
【請求項５】
前記記憶手段に記憶されるタイムテーブルにおいて、そのタイムテーブルに対して所定のタイトルメッセージが設定されている場合、前記タイトルメッセージをスクリーンに投射して表示する表示手段を備えることを特徴とする請求項２〜４のいずれか一項に記載の投射型映像表示装置。
【発明の詳細な説明】
【技術分野】
【０００１】
本発明は、投射型映像表示装置に関する。
【背景技術】
【０００２】
従来、光源から出射された光をＤＭＤ等の光学素子により変調し、光学レンズを通してスクリーン上に投射することにより映像等を表示するプロジェクタなどの投射型映像表示装置が知られている。
このようなプロジェクタによる映像表示を行いつつ、複数の発表者が所定のスケジュールに従って様々な発表やプレゼンテーションを行うことがあった。
【０００３】
また、予め定められたタイムスケジュールに従って、プロジェクタを自動的に動作させて、映像をショーウィンドウなどに投射するウィンドウ・ディスプレイに関する技術が知られている（例えば、特許文献１参照）。
また、複数の番組からなる放映プログラムのスケジュールに沿って、ビデオテープの映像をスクリーンに投射するビデオシアターにおけるビデオプロジェクタに関する技術が知られている（例えば、特許文献２参照）。
また、メモリーカードに記憶された処理プログラムに従って、スクリーンに投射し表示する映像を自動的に切り替えるように、プロジェクタを自動的に動作させることによって、ユーザの操作性を簡便化したプロジェクタに関する技術が知られている（例えば、特許文献３参照）。
【特許文献１】特開２００２−４４６２７号公報
【特許文献２】特開昭６３−７０３０４号公報
【特許文献３】特開２０００−２６７１８７号公報
【発明の開示】
【発明が解決しようとする課題】
【０００４】
しかしながら、上記従来技術におけるプロジェクタを用いて映像表示を行いつつ、複数の発表者が所定のスケジュールに従って様々な発表やプレゼンテーションを行う際に、各発表者がそれぞれの制限時間内に各自の発表を収めることができず、時間がずれ込むなどするために、予め定められたタイムスケジュール通りに発表などを進行させることが困難であるという問題があった。
【０００５】
また、上記特許文献１、特許文献２、特許文献３の場合、予め定められたスケジュールやプログラムに従って映像の表示を行うことはできるものの、予め定められたタイムスケジュール通りに、複数の発表者が行う発表などを進行させるという課題を解決することはできなかった。
【０００６】
本発明の目的は、所定のスケジュール通りに映像の表示を行うことによって、その映像に関連させて複数の発表者が行う発表などを好適に進行させることができる投射型映像表示装置を提供することである。
【課題を解決するための手段】
【０００７】
以上の課題を解決するため、請求項１記載の発明は、光源ランプが出力する光に基づきスクリーンに映像を投射して表示する投射型映像表示装置であって、前記スクリーンに映像を表示する所定のスケジュールに関するタイムテーブルを設定するタイムテーブル設定手段と、所定の外部機器で設定されたタイムテーブルの入力を受け付けるタイムテーブル入力手段と、前記タイムテーブル設定手段により設定されたタイムテーブル及び／又は前
記タイムテーブル入力手段に入力されたタイムテーブルを記憶する記憶手段と、複数の画像出力装置がそれぞれ出力する各画像データの入力を受け付ける画像データ入力手段と、前記画像データ入力手段に入力される各画像データのうち、前記記憶手段に記憶されるタイムテーブルにおいて設定されている画像出力装置に対応する画像データに応じた映像を投射するように切り替える映像切替手段と、前記記憶手段に記憶されるタイムテーブルに基づき、前記光源ランプの点灯と消灯を切り替えるランプ制御手段と、を備えることを特徴とする。
【０００８】
請求項２記載の発明は、光源ランプが出力する光に基づきスクリーンに映像を投射して表示する投射型映像表示装置であって、前記スクリーンに映像を表示する所定のスケジュールに関するタイムテーブルを設定するタイムテーブル設定手段と、前記タイムテーブル設定手段により設定されたタイムテーブルを記憶する記憶手段と、前記記憶手段に記憶されるタイムテーブルに基づき、前記光源ランプの点灯と消灯を切り替えるランプ制御手段と、を備えることを特徴とする。
【０００９】
請求項３記載の発明は、請求項２に記載の投射型映像表示装置において、所定の外部機器で設定されたタイムテーブルの入力を受け付けるタイムテーブル入力手段を備え、前記タイムテーブル入力手段に入力されたタイムテーブルは前記記憶手段に記憶されることを特徴とする。
【００１０】
請求項４記載の発明は、請求項２又は３に記載の投射型映像表示装置において、複数の画像出力装置がそれぞれ出力する各画像データの入力を受け付ける画像データ入力手段と、前記画像データ入力手段に入力される各画像データのうち、前記記憶手段に記憶されるタイムテーブルにおいて設定されている画像出力装置に対応する画像データに応じた映像を投射するように切り替える映像切替手段と、を備えることを特徴とする。
【００１１】
請求項５記載の発明は、請求項２〜４のいずれか一項に記載の投射型映像表示装置において、前記記憶手段に記憶されるタイムテーブルにおいて、そのタイムテーブルに対して所定のタイトルメッセージが設定されている場合、前記タイトルメッセージをスクリーンに投射して表示する表示手段を備えることを特徴とする。
【発明の効果】
【００１２】
請求項１記載の発明によれば、投射型映像表示装置は、記憶手段に記憶される、所定のスケジュールに応じて設定されたタイムテーブルに基づいて光源ランプの点灯と消灯を切り替え、スクリーンに映像を表示することと、非表示とすることとを切り替えることができる。
つまり、投射型映像表示装置は、自動的に光源ランプのオン／オフ（点灯／消灯）を切り替えることによって、予め設定されたタイムテーブルに沿うように、所定のスケジュール通りに映像の表示、非表示を切り替えて、スケジュールに沿った映像の表示を行うことができる。
そして、投射型映像表示装置による映像表示を行いつつ、複数の発表者が発表などを行う際に、スクリーンに表示する映像を自動的に切り替えることができるので、発表者が発表を開始する際に光源ランプを点灯させたり、発表終了時に光源ランプを消灯させたりするような、投射型映像表示装置を操作する手間を省くことができる。
また、例えば、各発表者に与えられた発表時間である制限時間を経過した場合に、光源ランプが自動的かつ強制的に消灯して映像を非表示とすることにより、その発表を終了させることができるので、予定のスケジュール通りにその発表をスムーズに進行させることができる。
また、投射型映像表示装置は、スクリーンに映像を表示しない際に、光源ランプを消灯するので、電気エネルギーを節約することができる。
【００１３】
特に、投射型映像表示装置は、所定の外部機器で設定されたタイムテーブルの入力を受け付けて、そのタイムテーブルに関するデータを、記憶手段に記憶することができる。
つまり、投射型映像表示装置は、タイムテーブルに関するデータを作成する際に操作性のよいパーソナルコンピュータなどの外部機器を用いるとともに、その外部機器において設定されたタイムテーブルを記憶手段に記憶することができるので、より容易に様々なタイムテーブルを作成して設定することが可能になり、そのタイムテーブルを利用し、光源ランプのオン／オフ切り替え制御や、スクリーンにおける映像の表示／非表示切り替え制御を実行することができる。
【００１４】
また、投射型映像表示装置は、画像データ入力手段を介して投射型映像表示装置に接続される複数の画像出力装置がそれぞれ出力する各画像データのうち、タイムテーブルにおいて設定されている画像出力装置に対応する画像データに応じた映像を投射するように切り替えることができる。
つまり、投射型映像表示装置は、投射型映像表示装置に接続される複数の画像出力装置がそれぞれ出力する各画像データに応じた映像を、それぞれスクリーンに表示することができるとともに、タイムテーブルにおける設定に基づいて、何れの画像出力装置が出力する画像データに応じた映像をスクリーンに表示するかを自動的に選択するように切り替えることができるので、様々な映像をスクリーンに表示することが可能になるとともに、スクリーンにおける映像の表示切り替えを容易に行うことが可能になる。
【００１５】
請求項２記載の発明によれば、投射型映像表示装置は、記憶手段に記憶される、所定のスケジュールに応じて設定されたタイムテーブルに基づいて光源ランプの点灯と消灯を切り替え、スクリーンに映像を表示することと、非表示とすることとを切り替えることができる。
つまり、投射型映像表示装置は、自動的に光源ランプのオン／オフ（点灯／消灯）を切り替えることによって、予め設定されたタイムテーブルに沿うように、所定のスケジュール通りに映像の表示、非表示を切り替えて、スケジュールに沿った映像の表示を行うことができる。
そして、投射型映像表示装置による映像表示を行いつつ、複数の発表者が発表などを行う際に、スクリーンに表示する映像を自動的に切り替えることができるので、発表者が発表を開始する際に光源ランプを点灯させたり、発表終了時に光源ランプを消灯させたりするような、投射型映像表示装置を操作する手間を省くことができる。
また、例えば、各発表者に与えられた発表時間である制限時間を経過した場合に、光源ランプが自動的かつ強制的に消灯して映像を非表示とすることにより、その発表を終了させることができるので、予定のスケジュール通りにその発表をスムーズに進行させることができる。
また、投射型映像表示装置は、スクリーンに映像を表示しない際に、光源ランプを消灯するので、電気エネルギーを節約することができる。
【００１６】
請求項３記載の発明によれば、請求項２に記載の発明と同様の効果が得られることは無論のこと、投射型映像表示装置は、所定の外部機器で設定されたタイムテーブルの入力を受け付けて、そのタイムテーブルに関するデータを、記憶手段に記憶することができる。
つまり、投射型映像表示装置は、タイムテーブルに関するデータを作成する際に操作性のよいパーソナルコンピュータなどの外部機器を用いるとともに、その外部機器において設定されたタイムテーブルを記憶手段に記憶することができるので、より容易に様々なタイムテーブルを作成して設定することが可能になり、そのタイムテーブルを利用し、光源ランプのオン／オフ切り替え制御や、スクリーンにおける映像の表示／非表示切り替え制御を実行することができる。
【００１７】
請求項４記載の発明によれば、請求項２又は３に記載の発明と同様の効果が得られることは無論のこと、投射型映像表示装置は、画像データ入力手段を介して投射型映像表示装置に接続される複数の画像出力装置がそれぞれ出力する各画像データのうち、タイムテーブルにおいて設定されている画像出力装置に対応する画像データに応じた映像を投射するように切り替えることができる。
つまり、投射型映像表示装置は、投射型映像表示装置に接続される複数の画像出力装置がそれぞれ出力する各画像データに応じた映像を、それぞれスクリーンに表示することができるとともに、タイムテーブルにおける設定に基づいて、何れの画像出力装置が出力する画像データに応じた映像をスクリーンに表示するかを自動的に選択するように切り替えることができるので、様々な映像をスクリーンに表示することが可能になるとともに、スクリーンにおける映像の表示切り替えを容易に行うことが可能になる。
【００１８】
請求項５記載の発明によれば、請求項２〜４のいずれか一項に記載の発明と同様の効果が得られることは無論のこと、投射型映像表示装置は、記憶手段に記憶されるタイムテーブルに対して所定のタイトルメッセージが設定されている場合、そのタイトルメッセージをスクリーンに表示することができる。
よって、投射型映像表示装置は、表示する映像のタイトルや、映像表示の進行状態などについてのメッセージ等をスクリーンに表示することによって、発表などに関する映像表示のスケジュールの進行をよりスムーズにすることが可能になる。
【発明を実施するための最良の形態】
【００１９】
以下、図面を参照して本発明に係る投射型映像表示装置の実施の形態について詳細に説明する。なお、投射型映像表示装置は、パーソナルコンピュータやビデオ再生装置などから入力された画像データに基づき光学像を形成し、その形成した光学像を前方に設けられたスクリーンなどに拡大して投影することによって映像を表示する装置である。
【００２０】
図１は、本発明に係る投射型映像表示装置１００（以下、プロジェクタ１００）を示す斜視図であり、図２は、プロジェクタ１００の要部構成を示すブロック図である。
【００２１】
プロジェクタ１００は、図１、図２に示すように、画像データが入力される画像データ入力手段としての映像入力部１と、プロジェクタを操作するための複数の操作スイッチを有する操作部２と、高輝度の光を出射する光源ランプ３（以下、ランプ３）と、ランプ３から出射された光が入射されるＤＭＤ（Digital Micromirror Device）画像形成素子４（以下、ＤＭＤ４）と、ＤＭＤ４により反射された光が通過するレンズ５と、プロジェクタ１００を操作するリモコン１０と通信を行うための通信部７と、所定の外部機器１１において設定された各種データが入力されるデータ入力部９と、プロジェクタの各種動作や処理を制御する制御部６等を備えている。
なお、ランプ３やＤＭＤ４、制御部６は、プロジェクタ１００の筐体８の内部に収容されており、映像入力部１や操作部２、レンズ５、通信部７、データ入力部９は、筐体８の外面側に配設されている。
【００２２】
映像入力部１は、例えば、パーソナルコンピュータやビデオ再生装置等の画像出力装置と電気的に接続される端子などにより構成されており、スクリーンＳに投射する映像の画像データが、映像入力部１に接続された画像出力装置から入力されるようになっている。そして、映像入力部１は、入力された画像データを制御部６へ出力する。
なお、映像入力部１は、複数の画像出力装置や機器と接続可能になっており、複数の画像出力装置がそれぞれ出力する各画像データの入力を受け付けるようになっている。
【００２３】
操作部２は、図１〜図３に示すように、プロジェクタの電源のオン／オフを切り替えるパワースイッチ２１と、音声の出力を調整するボリュームスイッチ２２と、各種メニュー
を表示するためのメニュースイッチ２３と、スクリーンＳに投射された映像の台形歪みを補正するための操作入力を行うキーストーンスイッチ２４と、各種設定・入力を行うための上下左右スイッチ２５と、所定のタイムテーブルに従って映像の表示／非表示を自動で切り替えるプレゼンテーション（発表）用の映像表示処理動作を実行させるプレゼンスイッチ２６と、プレゼンテーション用の映像表示処理動作を実行中に映像の表示時間を延長させるための延長スイッチ２７等を備えている。
なお、ボリュームスイッチ２２は「＋」スイッチ（ｕｐキー）及び「−」スイッチ（ｄｏｗｎキー）を有しており、キーストーンスイッチ２４も図示しない「＋」スイッチ及び「−」スイッチを有している。また、上下左右スイッチ２５は上下左右方向に関する指示入力と、その中心部が押下されることによる確定や決定に関する指示入力を行うことが可能になっている。
そして、この操作部２における各種操作スイッチが押下されて入力された各種操作指示は、制御部６に出力される。
【００２４】
ランプ３は、例えば、メタルハライドランプや超高圧水銀ランプ等から構成されて高い輝度の光を出射する光源であり、プロジェクタ１００が、離れた位置に設けられたスクリーンに、より鮮明な画像や映像を投影すべく高輝度の光を出力可能になっている。
【００２５】
ＤＭＤ４は、複数のマイクロミラー素子により構成されている電子部品（光学素子）であり、例えば、ＣＣＤなどの撮像装置の画素に対応するように、静電吸着などによって駆動される複数の可動マイクロミラーをマトリクス状に配列したものである。そして、所定の映像出力機器から入力される画像データに基づいて各マイクロミラーを制御し、ランプ３から出射される光束の反射方向を変化させて、その光を光学変調することにより光学像を形成する。
【００２６】
レンズ５は、例えば、ズームレンズ等により構成され、ＤＭＤ４によって変調されてレンズ５側に反射された光（光学像）を集光してスクリーンＳに向けて拡大投影するものである。そして、ＤＭＤ４によってレンズ５側に反射された光束のみがスクリーンＳ上に到達し、スクリーンＳに光学像が投射・投影される。
【００２７】
通信部７は、リモコン１０と所定の信号の送受信を行うことにより、プロジェクタ１００とリモコン１０の間で各種データの授受を行う。
例えば、通信部７は、リモコン１０から送信されるプロジェクタの操作に関する各種信号を受信し、その受信した各種信号を制御部６に送出する。
また、通信部７は、プロジェクタ１００の制御部６がリモコン１０に向けて出力する各種信号を、リモコン１０に対して発信する。
【００２８】
リモコン１０は、プロジェクタ１００を離間した位置から操作するための操作装置であり、操作部２が有する各種操作スイッチと同様のスイッチやキーを備えている。
【００２９】
データ入力部９は、パーソナルコンピュータなどの外部機器１１において設定されたタイムテーブルに関するデータの入力を受け付けるタイムテーブル入力手段として機能し、入力されたタイムテーブルに関するデータを制御部６へ出力する。
【００３０】
制御部６は、例えば、半導体集積回路等により構成され、映像入力部１から入力された画像データに基づく映像をスクリーンＳに投射させるために、プロジェクタ１００の各部を制御する。
制御部６は、図２に示すように、ＣＰＵ６１、ＲＡＭ６２、記憶手段としての記憶部６３等を備えている。
【００３１】
ＣＰＵ６１は、記憶部６３に格納された処理プログラムや各種データ等を読み出して、ＲＡＭ６２に展開して実行することにより、プロジェクタ１００全体の制御を行う。
【００３２】
ＲＡＭ６２は、ＣＰＵ６１により実行される処理プログラム等をＲＡＭ６２内のプログラム格納領域に展開するとともに、操作部２などから入力される操作指示データや、上記処理プログラムが実行される際に生じる処理結果等をワークエリアに格納する。
【００３３】
記憶部６３は、例えば、半導体メモリ等で構成されている記録媒体（図示省略）を有しており、この記録媒体には予めプログラムやデータ等が記憶されている。
そして、記憶部６３は、ＣＰＵ６１がプロジェクタ１００全体を制御する機能を実現させるための各種データ、各種処理プログラム、これらプログラムの実行により処理されたデータ等を記憶する。より具体的には、記憶部６３は、例えば、図２に示すように、タイムテーブルデータ６３ａ、タイムテーブル設定プログラム６３ｂ、映像切替プログラム６３ｃ、ランプ制御プログラム６３ｄ、ＯＳＤ表示（On Screen Display）に関するＯＳＤ
データ６３ｅ、投射プログラム６３ｆ、ＯＳＤ表示プログラム６３ｇ、操作指示実行プログラム６３ｈ等を格納している。
【００３４】
タイムテーブルデータ６３ａは、例えば、ランプ３を点灯させる点灯時間とランプ３を消灯させる消灯時間とが組み合わされてなる、ランプ３の点灯と消灯を切り替えるためのタイムテーブルに関するデータであり、プロジェクタ１００が映像の表示／非表示を自動で切り替えるプレゼンテーション（発表）用の映像表示処理動作を実行する際にランプ３の点灯と消灯を自動的に切り替えるタイミングの基準とするデータである。
タイムテーブルデータ６３ａは、予め設定されたランプ３の点灯時間と消灯時間とが組み合わされてなる基本タイムテーブルと、その基本タイムテーブルにおける点灯時間や消灯時間を変更して設定した、ユーザが所望するタイムテーブル等を有している。
また、タイムテーブルデータ６３ａは、映像入力部１に接続されている複数の画像出力装置における、何れの装置が出力した画像・映像をスクリーンＳに表示するかを切り替えるための入力映像切替データを有している。
また、タイムテーブルデータ６３ａは、そのタイムテーブルに対して所定のタイトルメッセージが設定されている場合、そのタイムテーブルに対応付けられたタイトルメッセージに関するデータ（例えば、文字データ）を有している。
【００３５】
タイムテーブル設定プログラム６３ｂは、例えば、操作部２やリモコン１０の操作スイッチが操作されて入力されたタイムテーブルに関するデータを、記憶部６３に記憶させる機能をＣＰＵ６１に実現させるプログラムである。
また、タイムテーブル設定プログラム６３ｂは、例えば、データ入力部９を介して入力されたタイムテーブルに関するデータを、記憶部６３に記憶させる機能をＣＰＵ６１に実現させるプログラムである。
【００３６】
映像切替プログラム６３ｃは、例えば、映像入力部１に入力される複数の画像データのうち、記憶部６３に記憶されるタイムテーブルにおいて設定されている入力映像切替データによって特定される画像出力装置が出力する画像データに応じた映像をスクリーンＳに表示するように切り替える機能をＣＰＵ６１に実現させるプログラムである。
【００３７】
ランプ制御プログラム６３ｄは、例えば、記憶部６３に記憶されるタイムテーブルに基づき、ランプ３の点灯と消灯を切り替える制御をＣＰＵ６１に実現させるプログラムである。
【００３８】
ＯＳＤデータ６３ｅは、例えば、映像入力部１を介して入力される画像データに基づく映像に重ね合わせてスクリーンＳに投射表示されるＯＳＤ画像のデータを含んでいる。こ
のＯＳＤ画像データとしては、操作部２の各種操作スイッチに対応する操作指示に関連つけられたアイコンデータや操作メニュー画面データ、タイムテーブル設定画面データやタイムテーブル表示画面データ等がある。
【００３９】
投射プログラム６３ｆは、例えば、ＤＭＤ４等を制御することにより、映像入力部１から入力された画像データに基づく映像をスクリーンＳに投射する機能をＣＰＵ６１に実現させるプログラムである。より具体的には、投射プログラム６３ｆは、映像入力部１から画像データが入力される場合にはその画像データに基づく映像をスクリーンＳに投射させて表示し、映像入力部１から画像データの入力がない場合には、例えば、スクリーンＳの映像表示領域に待機画面である青色画面等を投射させて表示する機能をＣＰＵ６１に実現させるプログラムである。
【００４０】
ＯＳＤ表示プログラム６３ｇは、例えば、操作スイッチが操作された際に、スクリーンＳに表示される画像データに基づく映像に、その操作された操作スイッチに対応するＯＳＤ画像データに基づくＯＳＤ画像を重ね合わせて投射表示させる機能をＣＰＵ６１に実現させるプログラムである。
また、ＯＳＤ表示プログラム６３ｇは、例えば、タイムテーブルデータ６３ａに、そのタイムテーブルに対応付けられたタイトルメッセージに関するデータが含まれる場合、そのタイトルメッセージに関するデータ（例えば、文字データ）に基づく画像（例えば、タイトル文字）を、スクリーンＳに投射表示させる機能をＣＰＵ６１に実現させるプログラムである。
【００４１】
操作指示実行プログラム６３ｈは、例えば、操作部２やリモコン１０の操作スイッチが操作された場合に、その操作スイッチに割り当てられた所定の処理を実行させる機能をＣＰＵ６１に実現させるプログラムである。
例えば、操作指示実行プログラム６３ｈは、例えば、上下左右スイッチ２５などが操作されたことによって、記憶部６３に記憶される基本タイムテーブルにおける点灯時間と消灯時間の少なくとも一方を変更し、所望するタイムテーブルを設定する機能をＣＰＵ６１に実現させるプログラムである。
また、操作指示実行プログラム６３ｈは、例えば、プレゼンスイッチ２６が操作されたことによって、ランプ制御プログラム６３ｄに基づく制御をＣＰＵ６１に実現させるプログラムである。
また、操作指示実行プログラム６３ｈは、例えば、延長スイッチ２７が操作されたことによって、ランプ制御プログラム６３ｄに基づく制御の実行中、ランプ３の点灯時間を１分間延長させる制御をＣＰＵ６１に実現させるプログラムである。
【００４２】
そして、制御部６は、ＣＰＵ６１が投射プログラム６３ｆを実行することにより、映像入力部１から入力された画像データに基づく映像をスクリーンＳに投射して表示する映像表示制御手段として機能する。
【００４３】
また、制御部６は、ＣＰＵ６１がＯＳＤ表示プログラム６３ｇを実行することにより、操作部２やリモコン１０の操作スイッチに操作指示が入力されたことに伴い、スクリーンＳに表示される映像の一部に、その操作スイッチに対応する操作指示に関するＯＳＤデータ６３ｃのＯＳＤ画像データに基づくＯＳＤ画像を重ね合わせて投射表示するＯＳＤ画像表示制御手段として機能する。
また、制御部６は、ＣＰＵ６１がＯＳＤ表示プログラム６３ｇを実行することにより、タイムテーブルデータ６３ａに含まれているタイトルメッセージに関するデータ（例えば、文字データ）に基づく画像（例えば、タイトル文字）を、スクリーンＳに投射表示させる表示手段として機能する。
【００４４】
また、制御部６は、ＣＰＵ６１がタイムテーブル設定プログラム６３ｂを実行することにより、操作部２やリモコン１０の操作スイッチが操作されて入力されたタイムテーブルに関するデータや、データ入力部９を介して入力されたタイムテーブルに関するデータを、記憶部６３に記憶させて設定するタイムテーブル設定手段として機能する。
特に、タイムテーブル設定手段としての制御部６は、ＣＰＵ６１が操作指示実行プログラム６３ｈを実行することにより、例えば、タイムテーブル設定手段の一部である操作スイッチの上下左右スイッチ２５などが操作されたことによって、記憶部６３に記憶される基本タイムテーブルにおける点灯時間と消灯時間の少なくとも一方が変更されたタイムテーブルを記憶部６３に記憶させて設定するタイムテーブル設定手段として機能する。
【００４５】
また、制御部６は、ＣＰＵ６１が映像切替プログラム６３ｃを実行することにより、映像入力部１に入力される複数の画像データのうち、記憶部６３に記憶されるタイムテーブルデータ６３ａにおいて設定されている入力映像切替データによって特定される画像出力装置が出力する画像データに応じた映像をスクリーンＳに表示するように切り替える映像切替手段として機能する。
【００４６】
また、制御部６は、ＣＰＵ６１がランプ制御プログラム６３ｄを実行することにより、記憶部６３に記憶されるタイムテーブルに基づき、ランプ３の点灯と消灯を切り替えて、スクリーンＳに投射する映像の表示／非表示を切り替えるランプ制御手段として機能する。
【００４７】
また、制御部６は、ＣＰＵ６１が操作指示実行プログラム６３ｈを実行することにより、例えば、プレゼンスイッチ２６が操作されたことによって、ランプ制御プログラム６３ｄに基づく制御（ランプ制御手段）を実行させるように機能する。
また、制御部６は、ＣＰＵ６１が操作指示実行プログラム６３ｈを実行することにより、例えば、延長スイッチ２７が１回押下され、操作されたことによって、ランプ制御プログラム６３ｄに基づく制御（ランプ制御手段）の実行中、ランプ３の点灯時間を１分間延長させる制御を実行させるように機能する。なお、ランプ３は一旦消灯した後、再点灯可能となるまでに約１分間かかるので、ランプ３が消灯するインターバルのタイミング（後述する「開始時間」）が少なくとも１分間となるように、そのランプ３の点灯時間を延長する処理を施すようになっている。つまり、ランプ３が消灯するインターバルのタイミングである消灯時間を１分間確保するように、その消灯時間を削り点灯時間に充てる処理を施し、ランプ３が点灯を開始する時間はずらさないようになっている。
【００４８】
また、制御部６は、ＣＰＵ６１が操作指示実行プログラム６３ｈを実行することにより、例えば、操作部２やリモコン１０のボリュームスイッチ２２が押下されて操作指示が入力されたことに伴い、音声の出力を増減する調整を行う。
また、制御部６は、ＣＰＵ６１が操作指示実行プログラム６３ｈを実行することにより、例えば、操作部２やリモコン１０のキーストーンスイッチ２４が押下されて操作指示が入力されたことに伴い、スクリーンＳ上に投射される映像の表示領域の台形歪みを補正して、スクリーンＳ上に投射される映像画面が略長方形状になるように補正処理を行う。
また、制御部６は、ＣＰＵ６１が操作指示実行プログラム６３ｈを実行することにより、例えば、操作部２やリモコン１０のメニュースイッチ２３が押下されて操作指示が入力されたことに伴い、スクリーンＳ上に投射される映像の一部に、プロジェクタの操作・設定などに関する各種メニューを表示する処理を行う。
【００４９】
次に、プロジェクタ１００において、所望するタイムテーブルを設定する処理について説明する。
なお、本実施の形態においては、プロジェクタ１００に接続されるパーソナルコンピュータを操作することにより、タイムテーブルを設定する処理について説明する。
【００５０】
まず、プロジェクタ１００とデータ入力部９のＵＳＢなどを介して接続されるパーソナルコンピュータ（外部機器１１）におけるディスプレイなどの表示部に、図４に示すような、タイムテーブル設定・表示画面Ｇを表示する。
図４に示すように、タイムテーブル設定・表示画面Ｇには、Schedule１からSchedule５に対し、それぞれ「登録」、「動作」、「入力」、「開始時間」、「点灯時間」、「Message」に関する設定条件入力欄Ｒ１〜Ｒ６が設けられている。
また、タイムテーブル設定・表示画面Ｇには登録キーＸ、取り込みキーＹが設けられている。この登録キーＸをポインタＰで指示しつつクリックするなどして、そのキー操作を実行すると、パーソナルコンピュータ１１のタイムテーブル設定・表示画面Ｇにおいて設定されたタイムテーブルに関するデータをプロジェクタ１００の制御部６に出力して登録するようになっている。また、取り込みキーＹをポインタＰで指示しつつクリックするなどして、そのキー操作を実行すると、プロジェクタ１００の制御部６に登録、記憶されているタイムテーブルに関するデータをパーソナルコンピュータ１１側に取り込み、パーソナルコンピュータ１１の表示部にタイムテーブル設定・表示画面として表示させ、タイムテーブルデータの変更、修正を可能にするようになっている。
【００５１】
そして、パーソナルコンピュータ１１のマウスやキーボードを操作して、ポインタＰにより所望する設定条件入力欄を指示し、その設定条件入力欄に対して設定条件を入力することができる状態とするとともに、マウスやキーボードを操作することによって、その入力欄に所望する設定条件を入力する。
なお、このタイムテーブル設定・表示画面Ｇに対して、記憶部６３に記憶される基本タイムテーブルに基づき、各スケジュール（Schedule）毎に、「動作」は“開始”、「入力」は“Computer”、ランプ３の消灯時間である「開始時間」が“１０分”、「点灯時間」が“１０分”、と予め設定されている。
【００５２】
そして、例えば、「登録」に関する設定条件入力欄Ｒ１に対しては、入力欄Ｒ１をポインタＰで指示しつつクリックするなどしてチェックマークを入力することにより、そのスケジュール（Schedule）がタイムテーブルに対して有効なスケジュールであるものと設定する（図５参照）。
また、「動作」に関する設定条件入力欄Ｒ２に対しては、入力欄Ｒ２をポインタＰで指示しつつクリックするなどすると、設定条件入力欄Ｒ２には、“終了”と“開始”と“入力”とが順に切り替えられるように表示され、「動作」に関する“終了”または“開始”や“入力”の設定条件が入力設定される（図５参照）。
なお、各Scheduleにおける「動作」に関する設定条件が“終了”と設定されている場合、そのスケジュールは実行されず、映像は表示されない。また、各Scheduleにおける「動作」に関する設定条件が“開始” と設定されている場合、そのスケジュールは実行され
、所定の画像出力装置からの映像をスクリーンＳに表示するようになっている。
また、各Scheduleにおける「動作」に関する設定条件が“入力”と設定されている場合、“開始”と設定されているScheduleに継続するように、異なる画像出力装置からの画像データの入力に切り替えて、切り替えた装置から出力された映像をスクリーンＳに表示するようになっている。
また、「入力」に関する設定条件入力欄Ｒ３に対しては、入力欄Ｒ３をポインタＰで指示しつつクリックするなどすると、設定条件入力欄Ｒ３には、“Computer”と“S-Video
”が順に切り替えられるように表示され、「入力」に関する“Computer”または“S-Video”の設定条件が入力設定される（図５参照）。
なお、各Scheduleにおける「入力」に関する設定条件が“Computer”と設定されている場合、映像入力部１に接続されている画像出力装置である“Computer”が出力する画像データに応じた映像を表示し、また、各Scheduleにおける「入力」に関する設定条件が“S-Video”と設定されている場合、映像入力部１に接続されている画像出力装置である“S-V
ideo”が出力する画像データに応じた映像を表示するように切り替えるようになっている。
つまり、「入力」に関する設定条件“Computer”や“S-Video”が、入力映像切替デー
タとなっている。
【００５３】
また、「開始時間」や「点灯時間」に関する設定条件入力欄Ｒ４、Ｒ５に対しては、任意の数値を入力可能になっており、キーボードを操作してそれぞれの設定条件入力欄Ｒ４、Ｒ５に動作時間に関する数値（分、min）を入力設定する（図５参照）。
なお、「開始時間」は、前回（１つ前のSchedule）のランプ３の消灯後（Schedule１の場合は、スケジュール（タイムテーブル）の登録後、そのスケジュール、タイムテーブルに基づく映像の表示制御（ランプ３のオン／オフ制御）実行開始後）、何分後にランプ３の点灯を開始するかに関する設定（何分間、映像を非表示とするかに関する設定）であり、「点灯時間」はランプ３を点灯し続けるなどし、スクリーンＳに映像を表示し続ける時間に関する設定である。
つまり、「開始時間」は先の映像表示と次の映像表示との間である、スクリーンＳに映像を表示しないインターバルに関する時間であり、「点灯時間」は、スクリーンＳに映像を表示する時間である。
また、「Message」に関する設定条件入力欄Ｒ６に対しては、そのスケジュール（Schedule）に応じた任意のタイトル文を入力可能になっており、プレゼンテーションの発表者
名や、開会・閉会、休憩などの所望するタイトル文や語句・文字をキーボードを操作して入力し設定する（図５参照）。なお、「Message」に関する設定条件“発表者  田中”（Schedule１）や“発表者  佐藤”（Schedule２）や“発表者  山田”（Schedule４）が、
タイトルメッセージに関するデータとなっている。
【００５４】
そして、ランプ３の「点灯時間」や「開始時間（消灯時間）」が変更されて、「Message」等が入力されて設定されたタイムテーブル（図５参照）は記憶部６３に記憶される。
【００５５】
そして、図５に示す、タイムテーブル設定・表示画面Ｇにおいて設定されたタイムテーブルでは、Schedule１からSchedule４の「動作」が“開始”及び“入力”と設定され、また、Schedule５の「動作」が“終了”と設定されているので、Schedule１からSchedule４における設定を実行することになっている。
【００５６】
このSchedule１からSchedule４に関するスケジュール（タイムテーブル）の登録後、プレゼンスイッチ２６が押下されて、映像の表示制御が開始されると、１０分間のインターバル後にSchedule１に対応してランプ３が点灯される。
そして、図６（ａ）に示すように、Schedule１の「Message」に設定された「発表者  
田中」という画像がスクリーンＳに３秒間表示された後、図６（ｂ）に示すように、Schedule１に関する映像の表示がスタートし、スクリーンＳに２０分間映像が表示される。このSchedule１における映像は、画像出力装置である“Computer”が出力した画像データによるものである。
また、スクリーンＳに１９分間映像が表示された際に、図６（ｃ）に示すように、“Computer”が出力した映像に重ねるように、スクリーンＳの隅に「終了１分前」とのメッセージが表示される。
そして、２０分間の映像の表示終了後にランプ３が消灯され、映像が非表示に切り替えられる。なお、ランプ３を消灯する前に、スクリーンＳに３秒間「発表終了」という画像を表示するようにしてもよい（Schedule１）。
【００５７】
次いで、Schedule１におけるランプ３の消灯後、５分間のインターバル後にSchedule２に対応してランプ３が点灯され、スクリーンＳにまず１０分間、画像出力装置である“S-Video”が出力した画像データによる映像が表示される。そして、１０分後に「入力」の
設定が“S-Video”から“Computer”に切り替わることにより、スクリーンＳに１０分間
、画像出力装置である“Computer”が出力した画像データによる映像が表示される。
そして、計２０分間の表示終了後にランプ３が消灯され、映像が非表示に切り替えられる（Schedule２）。
なお、発表開始前の「発表者  佐藤」という画像表示や、「終了１分前」とのメッセージ表示や、「発表終了」という画像表示は、Schedule１と同様に行われる。
【００５８】
次いで、Schedule２におけるランプ３の消灯後、５分間のインターバル後にSchedule３に対応してランプ３が点灯され、スクリーンＳに２０分間、画像出力装置である“Computer”が出力した画像データによる映像が表示される。
そして、２０分間の映像の表示終了後にランプ３が消灯され、映像が非表示に切り替えられる（Schedule３）。
なお、発表開始前の「発表者  山田」という画像表示や、「終了１分前」とのメッセージ表示や、「発表終了」という画像表示は、Schedule１と同様に行われる。
【００５９】
つまり、図５に示すこのタイムテーブル設定・表示画面Ｇにおいて設定されているタイムテーブルに対応するランプ３のオン／オフ制御（映像の表示／非表示制御）を実行すると、以下のような映像の表示／非表示が実行される。
Schedule１（発表者  田中）、Schedule２とSchedule３（発表者  山田）、Schedule４（発表者  佐藤）、における映像の表示時間である「点灯時間」は、それぞれ２０分間であるので、２０分間ランプ３が点灯されて映像がスクリーンＳに表示される。
そして、Schedule１とSchedule２の間、Schedule３とSchedule４の間における、映像非表示のインターバル時間である「開始時間」は５分であるので、各インターバル時間では、ランプ３を消灯することによって、スクリーンＳにおける映像を非表示に切り替える。
なお、Schedule２とSchedule３は、２つの画像出力装置（Computer、S-Video）を使用
する“発表者  山田”の発表時間（制限時間）であり、１組のScheduleとして扱われるので、１組であるSchedule２とSchedule３の間は、「入力」が“S-Video”から“Computer
”に切り替わる際に映像の表示が途切れないように、インターバルは０分（「開始時間」未設定）となっている。
【００６０】
なお、プロジェクタ１００において、所定のタイムテーブル設定・表示画面をスクリーンＳにＯＳＤ表示するとともに、操作部２やリモコン１０の操作スイッチを操作して、そのタイムテーブル設定・表示画面に基づきタイムテーブルを設定することも可能である。
そのタイムテーブル設定処理は、前述のパーソナルコンピュータを操作することによるタイムテーブル設定処理と同様の操作、処理であるので、説明は省略する。
【００６１】
次に、プロジェクタ１００が所定のタイムテーブルに従ってランプ３のオン／オフ（映像の表示／非表示）を切り替えるランプ制御を実行する際の動作処理の一例について、図７に示すフローチャートに基づき説明する。
【００６２】
まず、制御部６は、プレゼンスイッチ２６が押下されたか否かを判断し（ステップＳ１０１）、制御部６が、プレゼンスイッチ２６が押下されたと判断すると（ステップＳ１０１；Ｙｅｓ）、制御部６は、プロジェクタ１００に、所定のタイムテーブルに基づき、ランプ３の点灯と消灯を切り替えて、スクリーンＳに投射する映像の表示／非表示を切り替えるランプ制御を実行させる。
そして、制御部６は、タイムテーブルにおける所定のスケジュールに対応する開始時間に達したか否か（所定のスケジュールに対応する点灯時刻となったか否か）を判断し（ステップＳ１０２）、制御部６が、開始時間に達した（点灯時刻になった）と判断すると（ステップＳ１０２；Ｙｅｓ）、制御部６は、タイムテーブルにおいて、「Message」デー
タが有るか否かを判断する（ステップＳ１０３）。
【００６３】
制御部６が、「Message」データが有ると判断すると（ステップＳ１０３；Ｙｅｓ）、
制御部６はランプ３を点灯し、その「Message」（例えば、「発表者  田中」）をスクリ
ーンＳに３秒間表示し（ステップＳ１０４）、ステップＳ１０５へ進む。
一方、制御部６が、「Message」データが無いと判断すると（ステップＳ１０３；Ｎｏ
）、制御部６はランプ３を点灯し、スクリーンＳに所定の映像を表示する（ステップＳ１０５）。
【００６４】
次いで、制御部６は、延長スイッチ２７が押下されたか否かを判断する（ステップＳ１０６）。
制御部６が、延長スイッチ２７が押下されたと判断すると（ステップＳ１０６；Ｙｅｓ）、制御部６は、ランプ点灯時間を１分間延長する処理を施し（ステップＳ１０７）、ステップＳ１０８へ進む。
一方、制御部６が、延長スイッチ２７は押下されていないと判断すると（ステップＳ１０６；Ｎｏ）、ステップＳ１０８へ進む。
なお、このプロジェクタ１００におけるランプ制御処理においては、タイムテーブルを構成する各スケジュールにおいてランプ３が点灯を開始する時間が変わらないように、ランプ３が消灯する時間を削り、延長されるランプ点灯時間に充てるようになっている。つまり、タイムテーブルにおける各スケジュールに対応するプレゼンテーションや発表の開始時間は変わらず、そのプレゼンテーションや発表の進行を妨げないようになっている。
また、ランプ３は一旦消灯した後、再点灯可能となるまでに約１分間かかるので、ランプ３が消灯するインターバルのタイミングが少なくとも１分間となるように、点灯時間は延長される。つまり、ランプ３が消灯するプレゼンテーションや発表の間のインターバルが５分間ある場合、点灯時間の延長は最大４分間とし、ランプ消灯時間を１分間とするようになっている。
【００６５】
ステップＳ１０８において、制御部６は、タイムテーブルにおける次のスケジュールの「動作」が“入力”であるか否かを判断する（ステップＳ１０８）。
制御部６が、次のスケジュールの「動作」が“入力”であると判断すると（ステップＳ１０８；Ｙｅｓ）、ステップＳ１０５に戻り、“入力”の対象である画像出力装置（Computer、S-Videoなど）を切り替えた映像の表示を行う。
一方、制御部６が、次のスケジュールの「動作」が“入力”でないと判断すると（ステップＳ１０８；Ｎｏ）、制御部６は、「点灯時間」が終了する「終了１分前」であるか否かを判断し（ステップＳ１０９）、制御部６が、「終了１分前」であると判断すると（ステップＳ１０９；Ｙｅｓ）、制御部６は、スクリーンＳに表示される映像に重ねるように、スクリーンＳの隅に「終了１分前」とのメッセージを表示する（ステップＳ１１０）。
【００６６】
次いで、制御部６は、タイムテーブルにおける所定のスケジュールに対応する点灯時間を経過したか否か（所定のスケジュールに対応する消灯時刻となったか否か）を判断する（ステップＳ１１１）。
制御部６が、点灯時間を経過していない（消灯時刻になっていない）と判断すると（ステップＳ１１１；Ｎｏ）、ステップＳ１０５に戻る。
一方、制御部６が、点灯時間を経過した（消灯時刻になった）と判断すると（ステップＳ１１１；Ｙｅｓ）、制御部６は、スクリーンＳに「発表終了」とのメッセージを３秒間表示する（ステップＳ１１２）。
そして、制御部６は、ランプ３を消灯し、スクリーンＳに対する映像を非表示とする（ステップＳ１１３）。
【００６７】
次いで、制御部６は、所定のタイムテーブルにおける全てのスケジュールを終了したか否かを判断する（ステップＳ１１４）。
制御部６が、所定のタイムテーブルにおける全てのスケジュールを終了していないと判断すると（ステップＳ１１４；Ｎｏ）、ステップＳ１０２に戻り、所定のタイムテーブルにおける次のスケジュールに関する処理に移行する。
一方、制御部６が、所定のタイムテーブルにおける全てのスケジュールを終了したと判断すると（ステップＳ１１４；Ｙｅｓ）、制御部６は、このタイムテーブルに関するデータを消去し（ステップＳ１１５）、このランプ制御処理を終了する。
【００６８】
このように、本発明に係るプロジェクタ１００は、記憶部６３に記憶される所定のタイムテーブルに基づき、ランプ３の点灯と消灯を自動的に切り替えて、スクリーンＳに投射する映像の表示／非表示を自動的に切り替えることができる。
つまり、プロジェクタ１００による映像表示を行いつつ、複数の発表者がプレゼンテーション（発表）を行うそれぞれのスケジュールに応じて、スクリーンＳに映像を表示するためにランプ３を点灯させる「点灯時間」と、スケジュール毎に発表者が入れ替わるインターバル時間にランプを消灯させる「開始時間」とが組み合わされてなるタイムテーブルを予め設定しておくことにより、各発表者がプレゼンテーションを行う際に表示する映像を自動的に切り替えることができるので、発表者が発表を開始する際にランプ３を点灯させたり、発表終了時にランプ３を消灯させたりするような、プロジェクタ１００を操作する手間を省くことができる。また、予め設定されたタイムテーブルに沿うように、プロジェクタ１００は所定のスケジュール通りに映像の表示を行うことができる。
そして、例えば、各発表者に与えられた発表時間である制限時間（「点灯時間」）を経過した場合に、ランプ３が消灯することにより、そのプレゼンテーション（発表）を強制的に終了させることができるので、予定のスケジュール通りにその発表をスムーズに進行させることができる。
【００６９】
更に、発表者が入れ替わるインターバルでは、ランプ３を消灯することにより、電気エネルギーを節約することができる。
また、各発表者は、その制限時間内にプレゼンテーションを行うことになるので、制限時間内に行った発表内容に基づいて公平な審査を受けやすくなるメリットがある。
【００７０】
特に、プロジェクタ１００は、予め記憶部６３に、基本タイムテーブルを有しているので、その基本タイムテーブルに沿ったスケジュールに従う映像の表示を行うことができるとともに、その基本タイムテーブルにおけるランプ３の点灯時間や消灯時間（開始時間）を必要に応じて変更することにより所望するタイムテーブルを容易に作成し設定することができる。
つまり、発表者の人数や、各発表時間が異なるような場合でも、基本タイムテーブルに基づき所望するタイムテーブルを設定することによって、プロジェクタ１００は、様々なスケジュールに対応する映像表示を行うことができる。
また、プロジェクタ１００は、所定の外部機器１１であるパーソナルコンピュータ１１において設定されたタイムテーブルの入力を受け付けて、そのタイムテーブルを記憶部６３に記憶することができるので、タイムテーブルなどのデータを作成する操作性のよいパーソナルコンピュータ１１において、様々なタイムテーブルを容易に作成、設定し、そのタイムテーブルを利用し、ランプ３のオン／オフ制御、映像の表示／非表示制御を実行することができる。
【００７１】
また、このプロジェクタ１００は、タイムテーブルにおいてタイトルメッセージなどの「Message」データが設定されている場合、映像の表示に関連付けて、その「Message」をスクリーンＳに表示することや、発表の終了等に関する警告メッセージや告知メッセージ（例えば、「終了１分前」、「発表終了」などのメッセージ）等の画像、文字情報をスクリーンＳに表示することができるので、発表の進行をよりスムーズにすることが可能になる。
【００７２】
また、このプロジェクタ１００は、その発表時間であるランプ３の点灯時間を延長する機能を有しているが、その延長処理は次の発表を始める開始時間をずらすことのない範囲で、ランプ３の点灯時間、映像の表示時間を延長するようになっているので、その後の発表者の発表を妨げることなくスケジュールを進行させることができる。
【００７３】
なお、以上の実施の形態においては、タイムテーブルにおけるスケジュールの数は５個の場合を例に説明したが、本発明はこれに限定されるものではなく、タイムテーブルに設定することができるスケジュールの数は任意であり、また、ランプ３の点灯時間や消灯時間も任意である。
【００７４】
また、映像入力部１に接続される画像出力装置は、パーソナルコンピュータやビデオ再生装置に限られず、例えば、テレビやＤＶＤ再生装置など、映像や画像に関するデータを出力可能な装置・機器であれば、任意のものであってよい。
また、外部機器１１もパーソナルコンピュータに限らず、データ作成可能な任意の電子機器などであってもよい。
【００７５】
また、その他、具体的な細部構造等についても適宜に変更可能であることは勿論である。
【図面の簡単な説明】
【００７６】
【図１】本発明に係るプロジェクタを示す斜視図である。
【図２】本発明に係るプロジェクタの要部構成を示すブロック図である。
【図３】プロジェクタの操作部を示す正面図である。
【図４】タイムテーブルに関する表示画面の一例を示す説明図である。
【図５】タイムテーブルに関する表示画面の一例を示す説明図である。
【図６】スクリーンに表示される映像の一例を示す説明図であり、発表開始前のメッセージ表示例（ａ）、所定の映像表示例（ｂ）、発表終了前のメッセージ表示例（ｃ）である。
【図７】タイムテーブルに従って、プロジェクタがランプのオン／オフを切り替える動作処理の一例を示すフローチャートである。
【符号の説明】
【００７７】
１      映像入力部（画像データ入力手段）
２      操作部
２５    上下左右スイッチ
２６    プレゼンスイッチ
２７    延長スイッチ
３      ランプ（光源ランプ）
４      ＤＭＤ
５      レンズ
６      制御部（タイムテーブル設定手段、映像切替手段、ランプ制御手段、表示手段）
６１    ＣＰＵ
６２    ＲＡＭ
６３    記憶部（記憶手段）
６３ａ  タイムテーブルデータ
６３ｂ  タイムテーブル設定プログラム
６３ｃ  映像切替プログラム
６３ｄ  ランプ制御プログラム
６３ｈ  操作指示実行プログラム
７      通信部
９      データ入力部（タイムテーブル入力手段）
１０    リモコン
１１    外部機器
１００  プロジェクタ（投射型映像表示装置）
Ｇ      タイムテーブル設定・表示画面
Ｒ１〜Ｒ６  設定条件入力欄
Ｓ      スクリーン
【図１】
2007178638.tif 000003
【図２】
2007178638.tif 000004
【図３】
2007178638.tif 000005
【図４】
2007178638.tif 000006
【図５】
2007178638.tif 000007
【図６】
2007178638.tif 000008
【図７】
2007178638.tif 000009